(57)【要約】【課題】指針周囲の見栄えを改善し、斬新で面白みのある指針式計器を提供する。【解決手段】回動軸２を有する計器本体３と、回動軸２の先端側に固着される指針軸４を有する指針６と、この指針６の後方に配置され指針軸４が挿通される貫通穴を有する表示板７と、この表示板７の後方に配置され貫通穴を通して指針６を照明する発光ダイオード８とを備え、指針６は指示部５と指針軸４の前方側を覆うキャップ１６とを有し、表示板７は指示部５の指示対象となる表示部と、この表示部を除いた地部と、キャップ１６周囲の地部領域に形成した模様とを有する。【選択図】  図１
2004151028.tif 000002
【特許請求の範囲】
【請求項１】
回動軸を有する計器本体と、前記回動軸の先端側に固着される指針軸を有する指針と、この指針の後方に配置され前記回動軸あるいは前記指針軸が挿通される貫通穴を有する表示板と、この表示板の後方に配置され前記貫通穴または貫通穴の周囲を通して前記指針を照明する光源とを備え、前記指針は指示部と前記指針軸の前方側を覆うキャップとを有し、前記表示板は前記指示部の指示対象となる表示部と、この表示部を除いた地部と、前記キャップ周囲の前記地部領域に形成した模様とを有することを特徴とする指針式計器。
【請求項２】
回動軸を有する計器本体と、前記回動軸の先端側に固着される指針軸を有する指針と、この指針の後方に配置され前記回動軸あるいは前記指針軸が挿通される貫通穴を有する表示板と、この表示板の後方に配置され前記貫通穴または貫通穴の周囲を通して前記指針を照明する光源と、前記指針の前方側に配置した暗色系の半透明部材とを備え、前記指針は指示部と前記指針軸の前方側を覆うキャップとを有し、前記表示板は前記指示部の指示対象となる表示部と、この表示部を除いた地部と、前記キャップ周囲の前記地部領域に形成した模様とを有することを特徴とする指針式計器。
【請求項３】
前記模様は前記地部の艶の有無状態によって判別されるものであることを特徴とする請求項１または請求項２に記載の指針式計器。
【請求項４】
前記模様以外の地部が艶無し状態であり、前記模様が前記キャップの中心側から外側に広がるに従い艶有り状態から艶無し状態に徐々に変化することを特徴とする請求項３に記載の指針式計器。
【発明の詳細な説明】
【０００１】
【発明の属する技術分野】
本発明は、例えば車両に搭載される指針式の計器に関し、特に指針周囲の表示板上に模様を有する指針式計器に関するものである。
【０００２】
【従来の技術】
従来の指針式計器を図７に示す。指針式計器は、硬質な回路基板１０１の裏面側に回路基板１０１と導通状態で装着され、回路基板１０１を貫通して前方に延びる回動軸１０２を有する計器本体１０３と、回動軸１０２の先端側に固着される指針軸１０４を有する指針１０５と、この指針１０５の後方に配置され指針軸１０４が挿通される貫通穴１０６を有する表示板１０７と、回動軸１０２周囲の回路基板１０１上に実装され指針１０５を背後から照明する発光ダイオード１０８と、表示板１０７と回路基板１０１との間に配置され表示板１０７を支持するとともに、発光ダイオード１０８を囲む筒状部１０９を有する保持部材１１０を備えている。
【０００３】
指針１０５は指針軸１０４と一体形成された無色透明な指示部１１１と、指示部１１１の基部１１２周囲（指針軸１０４の前方周囲）を覆う黒色のキャップ１１３を備えている。そして、発光ダイオード１０８が点灯すると、この光が貫通穴１０６を通って指針１０５の裏面側を照射する。すると、受光面１１４から基部１１２内に光が入り反射面１１５に反射して指示部１１１の先端側に導かれて指示部１１１が明るく発光するようになっている。なお、指針軸１０４と指示部１１１とが別体の場合もある。
【０００４】
【発明が解決しようとする課題】
しかしながら、前記指針式計器においては指針１０５の指示部１１１を発光させる照明光（発光ダイオード１０８の光）が指針軸１０４周面や受光面１１４などに反射して、キャップ１１３と表示板１０７との隙間からキャップ１１３周囲に洩れてしまう。すると、キャップ１１３周囲の表示板１０７上がぼんやりと光って大変見栄えが悪い。
【０００５】
本発明はこの様な点に鑑みなされたもので、指針周囲の見栄えを改善し、斬新で面白みのある指針式計器を提供することを目的とする。
【０００６】
【課題を解決するための手段】
本発明は前記課題を解決するため、回動軸を有する計器本体と、前記回動軸の先端側に固着される指針軸を有する指針と、この指針の後方に配置され前記回動軸あるいは前記指針軸が挿通される貫通穴を有する表示板と、この表示板の後方に配置され前記貫通穴または貫通穴の周囲を通して前記指針を照明する光源とを備え、前記指針は指示部と前記指針軸の前方側を覆うキャップとを有し、前記表示板は前記指示部の指示対象となる表示部と、この表示部を除いた地部と、前記キャップ周囲の前記地部領域に形成した模様とを有する。
【０００７】
また、回動軸を有する計器本体と、前記回動軸の先端側に固着される指針軸を有する指針と、この指針の後方に配置され前記回動軸あるいは前記指針軸が挿通される貫通穴を有する表示板と、この表示板の後方に配置され前記貫通穴または貫通穴の周囲を通して前記指針を照明する光源と、前記指針の前方側に配置した暗色系の半透明部材とを備え、前記指針は指示部と前記指針軸の前方側を覆うキャップとを有し、前記表示板は前記指示部の指示対象となる表示部と、この表示部を除いた地部と、前記キャップ周囲の前記地部領域に形成した模様とを有する。
【０００８】
また、前記模様は前記地部の艶の有無状態によって判別されるものである。
【０００９】
また、前記模様以外の地部が艶無し状態であり、前記模様が前記キャップの中心側から外側に広がるに従い艶有り状態から艶無し状態に徐々に変化するものである。
【００１０】
【発明の実施の形態】
本発明の第１実施形態を図１〜図３に示す。図１は車両用の指針式計器（例えば速度計）の断面を示し、図２は表示板の部分断面を示す。図３は表示板の貫通穴周囲を表す部分詳細図である。
【００１１】
指針式計器は、硬質な回路基板１と、この回路基板１の裏面側に回路基板１と導通状態で装着され、回路基板１を貫通して前方に延びる回動軸２を有する速度計用の計器本体３と、回動軸２の先端側に固着される指針軸４や指示部５を有する指針６と、この指針６の後方に配置された表示板７と、回動軸２周囲の回路基板１上および指示部５のほぼ先端に対応する回路基板１上に実装され、指針６や表示板７を背後から照明する光源としての発光ダイオード８，８Ａと、発光ダイオード８の光を指針６の背後に効率よく導く略円柱状の導光体９と、表示板７と回路基板１との間に配置された保持部材１０と、回路基板１の裏面側を覆うカバー１１と、表示板７の前方側に配置され表示板７の可視領域を定める開口部１２を有する覆い部材１３と、指針６や表示板７などの前方側を被う暗色系の半透明部材としてのフロントカバー１４を備えている。
【００１２】
指針６は、前述した指針軸４や指示部５の他に、指示部５の基部１５（指針軸４の前方近辺）周囲を覆う黒色のキャップ１６を備えている。指示部５は赤色透明な合成樹脂からなり、指針６照明用の発光ダイオード８の光が入射する入射面１７と、この入射面１７から基部１５内に入った光を指示部５の先端側に導く反射面１８を有している。指針軸４には略円板状の台座１９が一体形成されている。この台座１９は入射面１７を除いた基部１５の背後を覆うとともに基部１５部分が載置される。台座１９および基部１５部分はキャップ１６内に挿入されてキャップ１６に固定される。この指針６は指針軸４を計器本体３の回動軸２の先端側に圧入することによって計器本体３に固着されている。なお、指針軸４および台座１９は指示部５と一体であっても良い。
【００１３】
表示板７は図２に示す様に、光透過性である無色透明な基板２０の表面側に車両の速度を現す目盛，数字などの表示部２１を除いて不透過性の地部２２となる例えば黒色の地色層２３が艶有り状態で印刷されている。また、地色層２３および表示部２１上には印刷面や基板２０表面を保護したり、外光による反射を抑えるための保護層としての無色透明な艶無し層（艶消し層）２４が印刷によって設けてある。また、表示部２１に対応した基板２０の裏面側には白色の透過性表示層２５が設けてあり、この透過性表示層２５は表示部２１に対応した箇所以外にも設けてある。２６は指針軸４と導光体９が挿通される貫通穴である。本実施形態においては貫通穴２６に指針軸４が挿通されているが、回動軸２が挿通される場合もある。なお、図２において破線はキャップ１６を表す。また、詳細は後述するが艶無し層２４は貫通穴２６周囲の所々を除いて設けられている。
【００１４】
本実施形態の場合、図３に示す様に、貫通穴２６際の周囲には艶無し層２４を設けず、少し離れた箇所からドットＤ１が徐々に大きくなるようにドット状の艶無し層２４を設け、その後はドットＤ２が徐々に小さくなるようにして、このドットＤ２を除いた部分に艶無し層２４が設けてある。この各ドットＤ１，Ｄ２は略格子状になるように設けてある（図３において、黒色箇所が艶無し層２４であり、白色箇所には艶無し層２４が設けられていない）。
【００１５】
従って、艶無し層２４が設けられていない貫通穴２６側の周囲は地色層２３が露出しているため艶有り状態であり、貫通穴２６から遠ざかる（貫通穴２６の中心側、つまりキャップ１６の中心側から外側に広がる）に従って艶有り部分が徐々に少なくなり、キャップ１６の外周から一定の範囲を超えると全域が艶無し状態（艶無し層２４）になるようにしてある。つまり、艶の有る地色層２３上に上述した様な艶無し層２４を設けたことによって、キャップ１６周囲の地部２２領域に艶の有無状態によって判別される各ドットＤ１，Ｄ２からなる略格子状の模様が形成される。
【００１６】
導光体９は指針軸４あるいは回動軸２の周囲に発光ダイオード８に対向して配置された光透過性の合成樹脂からなる。そして、導光体９と一体形成された支柱２７の下端を回路基板１に設けた孔２８に挿入することによって回路基板１に位置決めされて保持される。
【００１７】
保持部材１０は遮光性のある白色の合成樹脂からなり、発光ダイオード８および導光体９を囲む筒部２９と、表示板７照明用の発光ダイオード８Ａを囲むように傾斜して形成された反射壁３０と、表示板７の周縁を保持するように配置された周壁３１と、筒部２９，反射壁３０，周壁３１を繋ぐ底部３２を有する。また、筒部２９の先端（表示板７側）には、表示板７が載置される平坦部３３を有している。
【００１８】
３４は円筒部３５と鍔部３６を有する固定リングである。固定リング３４は表示板７の貫通穴２６周縁を保持部材１０の平坦部３３に固定するものであり、回路基板１の前方側に導光体９と保持部材１０を配置し、平坦部３３に表示板７を載置した後、固定リング３４の円筒部３５を導光体９に嵌めて鍔部３６で表示板７の貫通穴２６周縁を押さえるようにする。なお、表示板７の貫通穴２６周縁を固定する必要がない場合、あるいは別の固定手段が有れば固定リング３４は使わなくとも良い。
【００１９】
この様に構成された指針式計器において、表示板７照明用の例えば白色で発光する発光ダイオード８Ａが点灯すると、表示部２１は発光ダイオード８Ａからの直射光や保持部材１０の反射壁３０に反射した光や表示板７に設けた白色の透過性表示層２５と底部３２との間で繰り返し反射された光などを受けて白色で透過表示される。この様に、保持部材１０は表示板７を保持するとともに、反射部材としての役目も果たしている。また、指針６照明用の例えば赤色で発光する発光ダイオード８が点灯すると、光は入射面１７Ａから導光体９内に入って出射面３７から出射される。そして、指針６の入射面１７から基部１５内に入り、反射面１８で反射して指示部５の先端側に導かれて指示部５が赤色で発光するようになる。
【００２０】
なお、出射面３７から出射された光の全てが指針６の入射面１７から基部１５内に入射されるものではなく、入射面１７や指針軸４の台座１９部分に反射してキャップ１６と表示板７との隙間から洩れ光としてキャップ１６周囲に発生する光もある。この洩れ光によってキャップ１６周囲に形成された模様が照らし出される。なお、模様はキャップ１６周囲に発生する洩れ光とほぼ同範囲内に設けてあれば良い。
【００２１】
この様に、キャップ１６周囲の地部領域に模様を設けることによって、発光ダイオード８が点灯した際に、単にキャップ１６周囲がぼんやりと明るくなるだけではなく、模様として現れるために斬新で面白みのある指針式計器を得ることができる。また、本実施形態の場合、指針６や表示板７などの前方側が暗色系の半透明部材からなるフロントカバー１４で被われているため、発光ダイオード８が点灯していない時は指針６および模様が視認されなく、発光ダイオード８が点灯することによって指針６の指示部５とともに、略格子状の模様がキャップ１６の外周部に沿って環状となって突如として現れるようになり、より目新しさを与えることができる。
【００２２】
また、地色層２３上に印刷面や基板２０表面を保護したり、外光による反射を抑える（本実施形態においては暗色系のフロントカバー１４が配設してあるため、外光による反射を抑える点に関しては大きな重みをなさない）ために必要とする艶無し層２４を印刷するだけで艶の有無状態によって判別可能な模様を形成できるため、別工程を必要とせず容易に模様が形成可能である。また、艶有りの黒色の地色層２３上に艶無し範囲を徐々に変えていくことによって模様を形成するようにしたため、艶無し部分と艶有り部分とでは光の反射状態（反射方向）が異なり、発光ダイオード８点灯時においては模様がグラデーション的にはっきりと表現され、斬新で面白みのあるデザインとなる。
【００２３】
なお、本実施形態においては、発光ダイオード８の光を指針６の入射面１７に効率よく導いて、指示部５を高輝度で発光させるために導光体９を用いたが、必要十分な発光輝度が得られれば導光体９は廃止しても良い。
【００２４】
図４〜図６は本発明の第２実施形態を示す。前記第１実施形態と同一又は相当箇所には同一符号を付し、その詳細説明は省略する。図４は指針式計器の断面を示し、図５は表示板の部分断面を示す。図６は表示板の貫通穴周囲を表す部分詳細図である。
【００２５】
指針式計器は、硬質な回路基板１と、この回路基板１の表面側に回路基板１と導通状態で装着され、前方に延びる回動軸２を有する速度計用の計器本体３と、回動軸２の先端側に固着される指針軸４や指示部５を有する指針６と、この指針６の後方に配置された表示板７と、回路基板１に装着され指針６の指示部５や表示板７を照明する光源としてのランプ３８と、表示板７と計器本体３との背後に配置されランプ３８の光を指示部５に導く無色透明な導光板３９と、表示板７や計器本体３の周囲に配置された合成樹脂からなる白色のケース４０と、回路基板１の裏面側を覆うカバー１１と、表示板７の前方側に配置され表示板７の可視領域を定める開口部１２を有する覆い部材１３と、指針６や表示板７などの前方側を被う無色透明の透視板４１を備えている。
【００２６】
指針６は、前述した指針軸４や指示部５の他に、指示部５の基部１５周囲を覆う黒色のキャップ１６を備えている。指針軸４と一体形成された指示部５は赤色透明な合成樹脂からなり、基部１５にはランプ３８からの光が入射する入射面１７と、この入射面１７から基部１５内に入った光を指示部５の先端側に導く反射面１８を有している。なお、指針軸４と指示部５を一体としたが前記第１実施形態と同様、別体としても良い。
【００２７】
表示板７は図５に示す様に、光透過性である無色透明な基板２０の表面側に目盛，数字などの表示部２１を除いて不透過性の地部２２となる例えば黒色の地色層２３が艶有り状態で印刷されている。なお、ランプ３８の光を導光板３９を介して指針６の入射面１７に導いて指針６の指示部５を発光させるようにしてあるため、貫通穴２６の周囲は光が透過するように地色層２３が設けられていない（透過部４２とする）。あるいは、透過部４２を穴（貫通穴２６を大きくした状態）としても良い。また、地色層２３および表示部２１上には印刷面や基板２０表面を保護したり、外光による反射を抑えるための保護層としての無色透明な艶無し層（艶消し層）２４が印刷によって設けてある。この艶無し層２４は透過率を上げるために本実施形態においては透過部４２には設けないが、指針６指示部５の発光輝度が十分であれば設けても良い。また、表示部２１に対応した基板２０の裏面側には白色の透過性表示層２５が設けてある。なお、図５において破線はキャップ１６を表す。
【００２８】
本実施形態の場合、図６に示す様に、透過部４２側（貫通穴２６の中心側）から外側に広がるに従いドットＤ２が徐々に小さくなるようにして、このドットＤ２を除いた部分に艶無し層２４が設けてある。この各ドットＤ２は略格子状になるように設けてある（図６において、黒色箇所が艶無し層２４であり、白色箇所には艶無し層２４が設けられていない）。
【００２９】
従って、艶無し層２４が設けられていないドットＤ２部分は地色層２３が露出しているため艶有り状態であり、貫通穴２６から遠ざかる（貫通穴２６の中心側、つまりキャップ１６の中心側から外側に広がる）に従って艶有り部分が徐々に少なくなり、キャップ１６の外周から一定の範囲を超えると全域が艶無し状態（艶無し層２４）になるようにしてある。つまり、艶の有る地色層２３上に上述した様な艶無し層２４を設けたことによって、キャップ１６周囲の地部２２領域に艶の有無状態によって判別される各ドットＤ２からなる略格子状の模様が形成される。
【００３０】
導光板３９は、無色透明な合成樹脂からなり、ランプ３８の光を指針６の入射面１７に導くようになっており、表示板７に沿った平面部４３と、平面部４３からランプ３８に向かう受光部４４を有する。また、平面部４３と受光部４４との間には第１の反射面４５が設けてあるとともに、指針６の指針軸４あるいは計器本体３の回動軸２が挿通される貫通穴２６Ａ周囲には第２の反射面４６が設けてある。
【００３１】
この様に構成された指針式計器において、ランプ３８が点灯するとランプ３８の直射光やケース４０に反射した光や導光板３９を透過した光などを受けて表示部２１は白色で透過表示される。また、導光板３９の入射面１７Ｂから受光部４４内に入った光は第１の反射面４５で反射して平面部４３内を進み、第２の反射面４６で反射して出射面３７Ａから出射される。この際、出射面３７Ａ上には表示板７が配置されているが、出射面３７Ａ上は透過部４２となっているため、光は透過部４２を通り抜けて指針６の入射面１７から基部１５内に入り、反射面１８で反射して指示部５の先端側に導かれて指示部５が赤色で発光するようになる。
【００３２】
なお、出射面３７から出射された光の全てが指針６の入射面１７から基部１５内に入射されるものではなく、入射面１７や基部１５などに反射してキャップ１６と表示板７との隙間から洩れ光としてキャップ１６周囲に発生する光もある。この洩れ光によってキャップ１６周囲に形成された模様が照らし出される。
【００３３】
この様に、キャップ１６周囲の地部領域に模様を設けることによって、ランプ３８が点灯した際に、単にキャップ１６周囲がぼんやりと明るくなるだけではなく、模様として現れるために斬新で面白みのある指針式計器を得ることができる。また、地色層２３上に印刷面や基板２０表面を保護したり、外光による反射を抑えるために必要とする艶無し層２４を印刷するだけで艶の有無状態によって判別可能な模様を形成できるため、別工程を必要とせず容易に模様が形成可能である。また、模様が艶有り部分が多い状態から徐々に艶無し部分が多くなって全域が艶無しとなる状態にしてあるため、外光による反射があっても特に違和感なく反射を抑えられると共に、模様をグラデーション的に表現でき、斬新で面白みのあるデザインとなる。
【００３４】
なお、各実施形態において、艶有りの地色層２３上に艶無し層２４を設けることによって模様を形成したが、地色層２３を艶無しで印刷した後、貫通穴２６の周囲（キャップ１６の周囲）に艶有り層を設けて模様となるようにしても良い。要は、艶の有無によって模様が判別できるようになっていれば、その形成方法は任意である。また、基板２０の表面側に地部２２となる地色層２３を印刷したが基板２０の裏面側でも良い。また、模様の形態は、ドット，格子状に限らず任意であり貫通穴２６の周囲（キャップ１６の周囲）を取り巻くようになっていれば良く、色調も自由である。特に、第２実施形態において模様となるドットＤ２の色調を例えば青色とした場合には、ランプ３８点灯の有無に関わらず（昼夜を問わず）キャップ１６の周囲に模様を表すことができる。
【００３５】
【発明の効果】
以上詳述したように、本発明によれば、指針周囲の見栄えを改善し、斬新で面白みのある指針式計器を得ることができる。
【図面の簡単な説明】
【図１】本発明の第１実施形態を示す指針式計器の断面図。
【図２】同実施形態の指針式計器に用いられる表示板の部分断面図。
【図３】同実施形態の指針式計器に用いられる表示板の部分詳細図。
【図４】本発明の第２実施形態を示す指針式計器の断面図。
【図５】同実施形態の指針式計器に用いられる表示板の部分断面図。
【図６】同実施形態の指針式計器に用いられる表示板の部分詳細図。
【図７】従来の指針式計器の部分断面図。
【符号の説明】
２  回動軸
３  計器本体
４  指針軸
５  指示部
６  指針
７  表示板
８，８Ａ  発光ダイオード（光源）
１４  フロントカバー（半透明部材）
１６  キャップ
２１  表示部
２２  地部
２４  艶無し層
２６，２６Ａ  貫通穴
【図１】
2004151028.tif 000003
【図２】
2004151028.tif 000004
【図３】
2004151028.tif 000005
【図４】
2004151028.tif 000006
【図５】
2004151028.tif 000007
【図６】
2004151028.tif 000008
【図７】
2004151028.tif 000009